(57)【要約】【課題】耐紫外線、防黴、抗菌、変色、蛍光、光反射、夜光、２色の特性を備えるハンディ型レインコートを提供する。【解決手段】ハンディ型ビニール製レインコートは、レインコート本体及び添加物層を備える。レインコート本体は、ビニール防水布材から製作され、躯幹部、帽子部２２、左袖部２３Ｌ及び右袖部２３Ｒを有する。躯幹部は、ユーザの身体及び両足を覆う。帽子部２２は、躯幹部の頂端に設置されてユーザの頭部を覆う。左袖部２３Ｌ及び右袖部２３Ｒは、躯幹部とそれぞれ接続されて連通され、両手を入れるために用いる。添加物層は、耐紫外線添加物、抗菌剤、防黴剤又は紫外線変色剤を含み、レインコート本体中に結合される。【選択図】図２
0003177627.tif 000002
【実用新案登録請求の範囲】
【請求項１】
レインコート本体及び添加物層を備えたハンディ型ビニール製レインコートにおいて、
前記レインコート本体は、ビニール防水布材から製作され、躯幹部、帽子部、左袖部及び右袖部を有し、前記躯幹部は、ユーザの身体及び両足を覆い、前記帽子部は、前記躯幹部の頂端に設置されてユーザの頭部を覆い、前記左袖部及び前記右袖部は、前記躯幹部とそれぞれ接続されて連通され、両手を入れるために用い、
前記添加物層は、耐紫外線添加物、抗菌剤、防黴剤又は紫外線変色剤を含み、前記レインコート本体中に結合されることを特徴とするハンディ型ビニール製レインコート。
【請求項２】
前記レインコート本体は、環境を汚染しないか回収可能であるか分解可能であるビニール材料からなり、
前記ビニール材料は、高密度ポリエチレン（ＨＤＰＥ）、低密度ポリエチレン（ＬＤＰＥ）、ポリプロピレン（ｐｏｌｙｐｒｏｐｙｌｅｎｅ：ＰＰ）、ポリエチレン（ＰＥ）、ＬＬＤＰＥ（Ｌｉｎｅａｒ  Ｌｏｗ−Ｄｅｎｓｉｔｙ  Ｐｏｌｙｅｔｈｙｌｅｎｅ）、エチレン酢酸ビニル共重合体（ＥＶＡ）又はジエチル・フタレート（ＤＥＰ）であることを特徴とする請求項１に記載のハンディ型ビニール製レインコート。
【請求項３】
前記添加物層に含まれる前記耐紫外線添加物は、二酸化チタン（ＴｉＯ2）、酸化亜鉛（ＺｎＯ）、二酸化ケイ素（ｓｉｌｉｃａ）、酸化ジルコニウム（ｚｉｒｃｏｎｉｕｍ  ｏｘｉｄｅ）又は酸化アルミニウム（ａｌｕｍｉｎｕｍ  ｏｘｉｄｅ）粉末からなることを特徴とする請求項１に記載のハンディ型ビニール製レインコート。
【請求項４】
前記添加物層は、蓄光型夜光粉末、蛍光粉末又は光反射粉末を含み、
前記蓄光型夜光粉末、前記蛍光粉末又は前記光反射粉末は、前記レインコート本体に結合されることを特徴とする請求項１に記載のハンディ型ビニール製レインコート。
【請求項５】
前記レインコート本体は、内層防水布及び外層防水布を含むとともに、
前記内層防水布及び前記外層防水布中に異なる色の色層を結合させることにより、前記内層防水布及び前記外層防水布に異なる色を形成することを特徴とする請求項１に記載のハンディ型ビニール製レインコート。
【請求項６】
レインコート本体、印刷層及び添加物層を備えたハンディ型ビニール製レインコートにおいて、
前記レインコート本体は、ビニール防水布から製作され、躯幹部、帽子部、左袖部及び右袖部を有し、前記躯幹部は、ユーザの身体及び両足を覆い、前記帽子部は、前記躯幹部の頂端に設置されてユーザの頭部を覆い、前記左袖部及び前記右袖部は、前記躯幹部とそれぞれ接続されて連通され、両手を入れるために用い、
前記印刷層は、染料により形成された所望の色が結合され、前記レインコート本体の外表面に結合され、
前記添加物層は、耐紫外線添加物、抗菌剤又は防黴剤を含み、前記レインコート本体又は前記印刷層と結合されることを特徴とするハンディ型ビニール製レインコート。
【請求項７】
前記印刷層には、紫外線変色剤、蛍光粉末、光反射粉末及び夜光粉末からなる群から選ばれる一種以上が結合されることを特徴とする請求項６に記載のハンディ型ビニール製レインコート。
【請求項８】
前記レインコート本体の前記ビニール防水布は、内層防水布及び外層防水布を含み、前記内層防水布と前記外層防水布とに異なる色の色層を結合させることにより、前記内層防水布と前記外層防水布とを異なる色にすることを特徴とする請求項６に記載のハンディ型ビニール製レインコート。
【請求項９】
ビニール本体及び添加物層を備えたハンディ型ビニール製レインコートにおいて、
前記ビニール本体は、ビニール防水布により製作された上着及びズボンを含み、前記上着は、上から下方向へかけて上半身を覆う上半身部と、上から下方向へかけて頭部を覆うとともに、前記上半身部の頂端に接続された帽子部と、両手をそれぞれ入れるとともに、前記上半身部に接続されて連通した左袖部及び右袖部と、を含み、前記ズボンは、腹部及び臀部を覆う下半身部と、両足をそれぞれ入れるとともに、前記下半身部に接続されて連通する左足ズボン及び右足ズボンと、を含み、
前記添加物層は、耐紫外線添加物、抗菌剤、防黴剤又は紫外線変色剤を含み、レインコート本体中と結合されることを特徴とする記載のハンディ型ビニール製レインコート。
【請求項１０】
前記添加物層に含まれる前記耐紫外線添加物は、二酸化チタン（ＴｉＯ2）、酸化亜鉛（ＺｎＯ）、二酸化ケイ素（ｓｉｌｉｃａ）、酸化ジルコニウム（ｚｉｒｃｏｎｉｕｍ  ｏｘｉｄｅ）又は酸化アルミニウム（ａｌｕｍｉｎｕｍ  ｏｘｉｄｅ）粉末からなることを特徴とする請求項９に記載のハンディ型ビニール製レインコート。
【請求項１１】
前記添加物層は、蓄光型夜光粉末、蛍光粉末又は光反射粉末を含み、
前記蓄光型夜光粉末、前記蛍光粉末又及び前記光反射粉末は、前記レインコート本体中に結合されることを特徴とする請求項９に記載のハンディ型ビニール製レインコート。
【請求項１２】
前記レインコート本体のビニール防水布は、内層防水布及び外層防水布を含むとともに、前記内層防水布及び前記外層防水布中に異なる色の色層を結合させることにより、前記内層防水布と前記外層防水布とに異なる色を形成することを特徴とする請求項９に記載のハンディ型ビニール製レインコート。
【請求項１３】
ビニール本体、印刷層及び添加物層を備えたハンディ型ビニール製レインコートにおいて、
前記ビニール本体は、ビニール防水布により製作された上着及びズボンを含み、前記上着は、上から下方向へかけて上半身を覆う上半身部と、上から下方向へかけて頭部を覆うとともに、前記上半身部の頂端に接続された帽子部と、両手をそれぞれ入れるとともに、前記上半身部に接続されて連通した左袖部及び右袖部と、を含み、前記ズボンは、腹部及び臀部を覆う下半身部と、両足をそれぞれ入れるとともに、前記下半身部に接続されて連通する左足ズボン及び右足ズボンと、を含み、
前記印刷層は、染料により形成された所望の色が結合され、前記上着又は前記ズボンの外表面に結合され、
前記添加物層は、耐紫外線添加物、抗菌剤又は防黴剤を含み、レインコート本体又は前記印刷層中に結合されることを特徴とするハンディ型ビニール製レインコート。
【請求項１４】
前記印刷層には、紫外線変色剤、蛍光粉末、光反射粉末又は夜光粉末が添加されることを特徴とする請求項１３に記載のハンディ型ビニール製レインコート。
【請求項１５】
前記上着及び前記ズボンを製造するビニール防水布は、内層防水布及び外層防水布を含むとともに、前記内層防水布と前記外層防水布とに異なる色の染料を結合させることにより、前記内層防水布と前記外層防水布とに異なる色を形成することを特徴とする請求項１３に記載のハンディ型ビニール製レインコート。
【考案の詳細な説明】
【技術分野】
【０００１】
本考案は、レインコート構造に関し、特に、耐紫外線、防黴、抗菌、変色、蛍光、光反射、夜光、２色の特性を備えたハンディ型ビニール製レインコートのビニール材料構造の改良に関する。
【背景技術】
【０００２】
一般に、雨天で使用される雨具には、雨傘及びレインコートがある。雨傘は、手で支えて使用する必要があるため、雨を遮る効果に限界があり、雨天の際に作業を行ったり仕事をしたりするには適さなかった。レインコートは、直接身体に被せて身に着ける雨具であり、その様式により１ピース式レインコートと２ピース式レインコートとの２種類に分けられる。１ピース式レインコートは、体全体を覆うように身に着ける一方、２ピース式レインコートは、上着とズボンとの組み合わせからなる。１ピース式レインコートは、２ピース式レインコートより着脱が容易であるが、足部又は膝以下の部位の雨を遮る機能が２ピース式レインコートより劣っている。
【０００３】
従来のレインコートは、材料に応じてポリエチレン（ＰＥ）製レインコート、ポリ塩化ビニル（ＰＶＣ：Ｐｏｌｙｖｉｎｙｌｃｈｌｏｒｉｄｅ）製レインコート、ナイロン製レインコートの３種類に分けることができる。そのうちＰＥ製レインコートが一番安価であり、コンビニエンスストア又はスーパーで販売されている一般のハンディ型レインコートはこの種類に属する。ＰＥ製レインコートは、１ピース式であり、基本的な防水効果しか備えておらず、その他の安全設計（例えば、光反射機能）はされていない。ＰＥ製レインコートは最も軽量で薄型であるが耐久性が低い上、その表面に付属品又は飾りを取り付けることが困難である。そのため、ＰＥ製レインコートの安全性及び機能性は、残り２種類のレインコートより劣っている。
【０００４】
ＰＶＣ製レインコートは、非通気性の防水ビニールで製作され、ＰＥ製レインコートより厚くて耐久性に優れているが、通気性が悪いために皮膚にくっつきやすく、水分や湿気がある場合、着脱が容易でない。ＰＶＣ製レインコートは、携帯性がＰＥレインコートより劣っている上、回収不能で環境を汚染するビニール材料に属する。
【０００５】
ナイロン製レインコートは、２層の布材により製作されることが一般的であり、その耐久性及び機能性において優れているが、上述した３種類のレインコートのなかで価格が一番高く、従来の２ピース式レインコートは、ナイロン製レインコートであるのが一般的であり、２層の布材により製作されるため、ナイロン製レインコートの通気性に優れ、皮膚にくっつくことがなく、雨天時でも着脱が容易であり、前述の２種類より快適である。
一般にナイロン製レインコートの外表面には、光反射片、蛍光片又は夜光機能を備えた付属品又は飾りが設けられ、これらの光反射片、蛍光片又は夜光機能を備えた付属品は、ナイロン製レインコートの外表面に縫い付けたり貼り付けたりすることができるが、使用するのはそのうちの一種類だけであり、２種類又は３種類以上をレインコートへ使用することはなかった。
【考案の概要】
【考案が解決しようとする課題】
【０００６】
本考案の目的は、耐紫外線、防黴、抗菌、変色、蛍光、光反射、夜光、２色の特性を備えたハンディ型ビニール製レインコートを提供することにある。
【課題を解決するための手段】
【０００７】
上記課題を解決するために、レインコート本体及び添加物層を備えたハンディ型ビニール製レインコートにおいて、前記レインコート本体は、ビニール防水布材から製作され、躯幹部、帽子部、左袖部及び右袖部を有し、前記躯幹部は、ユーザの身体及び両足を覆い、前記帽子部は、前記躯幹部の頂端に設置されてユーザの頭部を覆い、前記左袖部及び前記右袖部は、前記躯幹部とそれぞれ接続されて連通され、両手を入れるために用い、前記添加物層は、耐紫外線添加物、抗菌剤、防黴剤又は紫外線変色剤を含み、前記レインコート本体中に結合されることを特徴とするハンディ型ビニール製レインコートが提供される。
【０００８】
前記レインコート本体は、環境を汚染しないか回収可能であるか分解可能であるビニール材料からなり、前記ビニール材料は、高密度ポリエチレン（ＨＤＰＥ）、低密度ポリエチレン（ＬＤＰＥ）、ポリプロピレン（ｐｏｌｙｐｒｏｐｙｌｅｎｅ：ＰＰ）、ポリエチレン（ＰＥ）、ＬＬＤＰＥ（Ｌｉｎｅａｒ  Ｌｏｗ−Ｄｅｎｓｉｔｙ  Ｐｏｌｙｅｔｈｙｌｅｎｅ）、エチレン酢酸ビニル共重合体（ＥＶＡ）又はジエチル・フタレート（ＤＥＰ）であることが好ましい。
【０００９】
前記添加物層に含まれる前記耐紫外線添加物は、二酸化チタン（ＴｉＯ2）、酸化亜鉛（ＺｎＯ）、二酸化ケイ素（ｓｉｌｉｃａ）、酸化ジルコニウム（ｚｉｒｃｏｎｉｕｍ  ｏｘｉｄｅ）又は酸化アルミニウム（ａｌｕｍｉｎｕｍ  ｏｘｉｄｅ）粉末からなることが好ましい。
【００１０】
前記添加物層は、蓄光型夜光粉末、蛍光粉末又は光反射粉末を含み、前記蓄光型夜光粉末、前記蛍光粉末又は前記光反射粉末は、前記レインコート本体に結合されることが好ましい。
【００１１】
前記レインコート本体は、内層防水布及び外層防水布を含むとともに、前記内層防水布及び前記外層防水布中に異なる色の色層を結合させることにより、前記内層防水布及び前記外層防水布に異なる色を形成することが好ましい。
【００１２】
上記課題を解決するために、レインコート本体、印刷層及び添加物層を備えたハンディ型ビニール製レインコートにおいて、前記レインコート本体は、ビニール防水布から製作され、躯幹部、帽子部、左袖部及び右袖部を有し、前記躯幹部は、ユーザの身体及び両足を覆い、前記帽子部は、前記躯幹部の頂端に設置されてユーザの頭部を覆い、前記左袖部及び前記右袖部は、前記躯幹部とそれぞれ接続されて連通され、両手を入れるために用い、前記印刷層は、染料により形成された所望の色が結合され、前記レインコート本体の外表面に結合され、前記添加物層は、耐紫外線添加物、抗菌剤又は防黴剤を含み、前記レインコート本体又は前記印刷層と結合されることを特徴とするハンディ型ビニール製レインコートが提供される。
【００１３】
前記印刷層には、紫外線変色剤、蛍光粉末、光反射粉末及び夜光粉末からなる群から選ばれる一種以上が結合されることが好ましい。
【００１４】
前記レインコート本体の前記ビニール防水布は、内層防水布及び外層防水布を含み、前記内層防水布と前記外層防水布とに異なる色の色層を結合させることにより、前記内層防水布と前記外層防水布とを異なる色にすることが好ましい。
【００１５】
上記課題を解決するために、ビニール本体及び添加物層を備えたハンディ型ビニール製レインコートにおいて、前記ビニール本体は、ビニール防水布により製作された上着及びズボンを含み、前記上着は、上から下方向へかけて上半身を覆う上半身部と、上から下方向へかけて頭部を覆うとともに、前記上半身部の頂端に接続された帽子部と、両手をそれぞれ入れるとともに、前記上半身部に接続されて連通した左袖部及び右袖部と、を含み、前記ズボンは、腹部及び臀部を覆う下半身部と、両足をそれぞれ入れるとともに、前記下半身部に接続されて連通する左足ズボン及び右足ズボンと、を含み、前記添加物層は、耐紫外線添加物、抗菌剤、防黴剤又は紫外線変色剤を含み、レインコート本体中と結合されることを特徴とする記載のハンディ型ビニール製レインコートが提供される。
【００１６】
前記添加物層に含まれる前記耐紫外線添加物は、二酸化チタン（ＴｉＯ2）、酸化亜鉛（ＺｎＯ）、二酸化ケイ素（ｓｉｌｉｃａ）、酸化ジルコニウム（ｚｉｒｃｏｎｉｕｍ  ｏｘｉｄｅ）又は酸化アルミニウム（ａｌｕｍｉｎｕｍ  ｏｘｉｄｅ）粉末からなることが好ましい。
【００１７】
前記添加物層は、蓄光型夜光粉末、蛍光粉末又は光反射粉末を含み、前記蓄光型夜光粉末、前記蛍光粉末又及び前記光反射粉末は、前記レインコート本体中に結合されることが好ましい。
【００１８】
前記レインコート本体のビニール防水布は、内層防水布及び外層防水布を含むとともに、前記内層防水布及び前記外層防水布中に異なる色の色層を結合させることにより、前記内層防水布と前記外層防水布とに異なる色を形成することが好ましい。  
【００１９】
上記課題を解決するために、ビニール本体、印刷層及び添加物層を備えたハンディ型ビニール製レインコートにおいて、前記ビニール本体は、ビニール防水布により製作された上着及びズボンを含み、前記上着は、上から下方向へかけて上半身を覆う上半身部と、上から下方向へかけて頭部を覆うとともに、前記上半身部の頂端に接続された帽子部と、両手をそれぞれ入れるとともに、前記上半身部に接続されて連通した左袖部及び右袖部と、を含み、前記ズボンは、腹部及び臀部を覆う下半身部と、両足をそれぞれ入れるとともに、前記下半身部に接続されて連通する左足ズボン及び右足ズボンと、を含み、前記印刷層は、染料により形成された所望の色が結合され、前記上着又は前記ズボンの外表面に結合され、前記添加物層は、耐紫外線添加物、抗菌剤又は防黴剤を含み、レインコート本体又は前記印刷層中に結合されることを特徴とするハンディ型ビニール製レインコートが提供される。
【００２０】
前記印刷層には、紫外線変色剤、蛍光粉末、光反射粉末又は夜光粉末が添加されることが好ましい。
【００２１】
前記上着及び前記ズボンを製造するビニール防水布は、内層防水布及び外層防水布を含むとともに、前記内層防水布と前記外層防水布とに異なる色の染料を結合させることにより、前記内層防水布と前記外層防水布とに異なる色を形成することが好ましい。
【図面の簡単な説明】
【００２２】
【図１】本考案の一実施形態に係る１ピース式ハンディ型ビニール製レインコートを示す模式図である。
【図２】本考案の一実施形態に係る２ピース式ハンディ型ビニール製レインコートを示す模式図である。
【図３】本考案の一実施形態に係る防水布のビニール材構造を示す断面図である。
【図４Ａ】本考案の一実施形態に係る防水布及び印刷層を有するビニール材構造を示す断面図である。
【図４Ｂ】本考案の一実施形態に係る防水布及び印刷層を有するビニール材構造を示す断面図である。
【図５】本考案の他の実施形態に係る防水布のビニール材料構造が発光及び／又は光反射機能の安全効果を有するビニール材構造を示す断面図である。
【図６】本考案の他の実施形態に係る防水布のビニール材料構造の内側及び外側に２種類の色が設けられたビニール材構造を示す断面図である。
【考案を実施するための形態】
【００２３】
当該分野の技術を熟知するものが理解できるように、本考案の好適な実施形態を以下に開示するが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【実施例】
【００２４】
図１を参照する。図１に示すように、本考案の一実施形態に係るハンディ型ビニール製レインコートは、１ピース式レインコートであり、上から下方向へかけて身体及び両足を覆う躯幹部１０と、上から下方向へかけて頭部を覆うとともに、躯幹部１０の頂端に接続された帽子部１１と、両手をそれぞれ入れるとともに、躯幹部１０に接続されて連通した左袖部１２Ｌ及び右袖部１２Ｒと、を含む。図２を参照する。図２に示すように、本考案の他の実施形態に係るハンディ型ビニール製レインコートは、２ピース式レインコートであり、２ピース式レインコートの主要部材は、上着２０及びズボン３０を含む。上着２０は、上から下方向へかけて上半身を覆う上半身部２１と、上から下方向へかけて頭部を覆うとともに、上半身部２１の頂端に接続された帽子部２２と、両手をそれぞれ入れるとともに、上半身部２１に接続されて連通した左袖部２３Ｌ及び右袖部２３Ｒと、を含む。ズボン３０は、腹部及び臀部を覆う下半身部３１と、両足をそれぞれ入れるとともに、下半身部３１に接続されて連通する左足ズボン３２Ｌ及び右足ズボン３２Ｒと、を含む。
【００２５】
図３を参照する。図３に示すように、本考案の一実施形態に係るハンディ型ビニール製レインコートは、防水布４０がビニール材料により製作され、ハンディ型ビニール製レインコートを製造する主要部材に改良が施されている。防水布４０には、耐紫外線添加物、抗菌剤、防黴剤又は紫外線変色剤のうちの１種類又は２種類以上の組み合わせからなる添加物層の部分に改良が施されている。言い換えると、防水布４０は、添加する成分に応じて耐紫外線、抗菌剤、防黴又は紫外線変色警告（紫外線の強さに応じて変色し、ユーザに紫外線の強さを知らせる）の機能のうちの１種類又は２種類以上を有する。
【００２６】
本実施形態の耐紫外線添加物は、二酸化チタン（ＴｉＯ2）、酸化亜鉛（ＺｎＯ）、二酸化ケイ素（ｓｉｌｉｃａ）、酸化ジルコニウム（ｚｉｒｃｏｎｉｕｍ  ｏｘｉｄｅ）又は酸化アルミニウム（ａｌｕｍｉｎｕｍ  ｏｘｉｄｅ）粉末からなる。これらの添加物は、紫外線（Ｕｌｔｒａｖｉｏｌｅｔ  ｒａｙ：ＵＶ  ｒａｙ）を反射させたり吸収したりする作用を有するため、本実施形態のハンディ型ビニール製レインコートの防水布４０の耐紫外線効果を高めることができる上、これらの耐紫外線添加物が紫外線を吸収した後、紫外線の強度に応じ、例えば、暗い色に変色する。ユーザは、色の変化によりその時々の紫外線強度を知り、それに対する対応措置を取ることができる。
【００２７】
図４Ａを参照する。図４Ａに示すように、本実施形態のハンディ型ビニール製レインコートは、ビニール材料からなる防水布４０によりハンディ型ビニール製レインコートの前述の主要部材を製作する点に改良が施されている。防水布４０の外層には、ビニール材料からなる印刷層５０が形成されている。この印刷層５０は、染料を添加して所望の色を得て、耐紫外線添加物、抗菌剤又は防黴剤及び紫外線変色剤からなる群から選ばれる一種以上を含む添加物層でもよく、言い換えると、印刷層５０に添加する成分により、耐紫外線、抗菌、防黴及び紫外線変色警告からなる群から選ばれる一種以上を含む効果を得ることができる。
【００２８】
図４Ｂを参照する。図４Ｂに示すように、ビニール材料からなる防水布４０を、透明又は透光の態様に製作し、防水布４０の内層へ印刷層５０を印刷する。印刷層５０には、染料を添加して所望の色を得て、耐紫外線添加物、抗菌剤、防黴剤及び紫外線変色剤からなる群から選ばれる一種以上を含む添加物層でもよく、言い換えると、印刷層５０に添加する成分に応じて耐紫外線、抗菌、防黴及び紫外線変色警告からなる群から選ばれる一種以上を含む効果を得てもよい。
【００２９】
本考案の一実施形態に係るハンディ型ビニール製レインコートは、内側及び外側に２種類の色が設けられ、そのうちの一実施形態は、印刷層５０に、耐紫外線添加物、抗菌剤、防黴剤及び紫外線変色剤からなる群から選ばれる一種以上を含む添加物を添加して、耐紫外線、抗菌、防黴又は紫外線変色警告の効果を得てもよい。
【００３０】
本実施形態の印刷層５０には、紫外線が強すぎるときに印刷層５０の色を変化させてユーザに紫外線が強すぎる状況を知らせて適宜回避することができるようにする紫外線変色剤だけを添加してもよい。或いは、印刷層５０内に蛍光粉末、光反射粉末及び夜光粉末からなる群から選ばれる一種以上を添加し、光反射、夜光又は蛍光の効果を与えてもよい。
【００３１】
本考案の一実施例において、防水布４０及び印刷層５０は、回収可能で環境を汚染しないビニール材料からなり、環境を汚染しないビニール材料は、高密度ポリエチレン（ＨＤＰＥ）、低密度ポリエチレン（ＬＤＰＥ）、ポリプロピレン（ｐｏｌｙｐｒｏｐｙｌｅｎｅ：ＰＰ）、ポリエチレン（ＰＥ）、ＬＬＤＰＥ（Ｌｉｎｅａｒ  Ｌｏｗ−Ｄｅｎｓｉｔｙ  Ｐｏｌｙｅｔｈｙｌｅｎｅ）、エチレン酢酸ビニル共重合体（ＥＶＡ）又はジエチル・フタレート（ＤＥＰ）である。
【００３２】
図５を参照する。図５に示すように、本考案の一実施形態に係るハンディ型ビニール製レインコートは、ビニール材料からなる防水布４０により前述の主要部材を製造する。ビニール材で製作した防水布４０には、耐紫外線添加物、抗菌剤及び防黴剤からなる群から選ばれる一種以上を含むとともに、蓄光型夜光粉末、蛍光粉末及び光反射粉末からなる群から選ばれる一種以上を含む添加物が添加されるため、本実施形態のハンディ型ビニール製レインコートは、その他光反射性又は夜光性の付属品を外表面に設けなくとも、見た目が良い上に、発光及び／又は光反射の効果を得て安全性を高めることができる。
【００３３】
本考案の一実施形態に係るハンディ型ビニール製レインコートは、２層の防水布をそれぞれハンディ型ビニール製レインコートの内層防水布４０ａ及び外層防水布４０ｂとして用いる（図６参照）。ビニール材からなる内層防水布４０ａ及び外層防水布４０ｂには、耐紫外線添加物、抗菌剤及び防黴剤からなる群から選ばれる一種以上を含む添加物を添加するとともに、蓄光型夜光粉末、蛍光粉末及び光反射粉末からなる群から選ばれる一種以上を含む添加物を添加するとともに、内層防水布４０ａと外層防水布４０ｂとに異なる色の染料を添加させて内層防水布４０ａと外層防水布４０ｂとを異なる色にして２色を得てもよい。
【００３４】
上述した各実施例で用いる紫外線変色剤の原料は、ハロゲン化銀でもよい。
【符号の説明】
【００３５】
１０    躯幹部
１１    帽子部
１２Ｌ  左袖部
１２Ｒ  右袖部
２０    上着
２１    上半身部
２２    帽子部
２３Ｌ  左袖部
２３Ｒ  右袖部
３０    ズボン
３１    下半身部
３２Ｌ  左足ズボン
３２Ｒ  右足ズボン
４０    防水布
４０ａ  内層防水布
４０ｂ  外層防水布
５０    印刷層
５０ａ  第１の印刷層
５０ｂ  第２の印刷層
【図１】
0003177627.tif 000003
【図２】
0003177627.tif 000004
【図３】
0003177627.tif 000005
【図４Ａ】
0003177627.tif 000006
【図４Ｂ】
0003177627.tif 000007
【図５】
0003177627.tif 000008
【図６】
0003177627.tif 000009